(57)【要約】      （修正有）【課題】グラス本体の外面側及び内面側の双方から模様を視認することができる娯楽性に優れた模様付きグラスを提供する。【解決手段】少なくとも周部分が透明に形成されたグラス本体１０の周部分の外面１０Ａ及び内面１０Ｂのいずれか一方に施され、その他方側から視認可能な第１の模様２２と、第１の模様２２上に重ねて施された遮光層２４と、遮光層２４上に重ねて施され、グラス本体１０の一方側から視認可能な第２の模様とを備え、遮光層２４は、第１の模様２２及び第２の模様のいずれ側からも他方の模様を視認できない程度の遮光性を有する。【選択図】図１
0003161390.tif 000002
【実用新案登録請求の範囲】
【請求項１】
少なくとも周部分が透明に形成されたグラス本体の周部分の外面及び内面のいずれか一方に施され、その他方側から視認可能な第１の模様と、
前記第１の模様上に重ねて施された遮光層と、
前記遮光層上に重ねて施され、前記グラス本体の一方側から視認可能な第２の模様とを備え、
前記遮光層は、前記第１の模様及び前記第２の模様のいずれ側からも他方の模様を視認できない程度の遮光性を有するものであることを特徴とする模様付きグラス。
【請求項２】
前記第１の模様及び前記第２の模様は、相互に関連する模様であることを特徴とする請求項１記載の模様付きグラス。
【請求項３】
前記遮光層は、前記第１の模様及び前記第２の模様のそれぞれの背景として機能する模様であることを特徴とする請求項１又は２記載の模様付きグラス。
【請求項４】
前記模様は、ガラスエナメル焼付け加工により施され、
前記遮光層は、前記第１の模様及び前記第２の模様のガラスエナメル材料よりも高い粘性を有するガラスエナメル材料により形成されていることを特徴とする請求項１乃至３いずれか１項記載の模様付きグラス。
【請求項５】
前記遮光層は、白エナメルにより形成されていることを特徴とする請求項４記載の模様付きグラス。
【請求項６】
前記模様は、転写印刷により施されていることを特徴とする請求項１乃至３いずれか１項記載の模様付きグラス。
【考案の詳細な説明】
【技術分野】
【０００１】
本考案は、グラス本体の透明部分に模様が施された模様付きグラスに関する。
【背景技術】
【０００２】
従来、飲料を食する際に使用されるグラスの娯楽性を高めるために、グラス本体の表面上にグラス本体の外面側から視認可能な模様を施したものが知られている（特許文献１）。
【先行技術文献】
【特許文献】
【０００３】
【特許文献１】実用新案登録第３１３１４４０号公報
【考案の概要】
【考案が解決しようとする課題】
【０００４】
しかしながら、この特許文献１に開示されているものは、グラス本体の外面側からは模様を視認することができるが、グラス本体の内面側からは模様の外郭しか把握することができず、模様を視認することができないため、娯楽性に欠けるとの問題がある。
【０００５】
そこで、本考案は、グラス本体の外面側及び内面側の双方から模様を視認することができる娯楽性に優れた模様付きグラスを提供することを目的とする。
【課題を解決するための手段】
【０００６】
以上の目的を達成するため、本考案に係る模様付きグラスは、少なくとも周部分が透明に形成されたグラス本体の周部分の外面及び内面のいずれか一方に施され、その他方側から視認可能な第１の模様と、前記第１の模様上に重ねて施された遮光層と、前記遮光層上に重ねて施され、前記グラス本体の一方側から視認可能な第２の模様とを備え、前記遮光層は、前記第１の模様及び前記第２の模様のいずれ側からも他方の模様を視認できない程度の遮光性を有するものであることを特徴とする。
【０００７】
本考案に係る模様付きグラスは、グラス本体の透明な周部分に施された第１の模様と第２の模様とを備えることにより、グラス本体の外面側及び内面側の双方から模様を視認することができるため、娯楽性を向上させることができる。また、本考案に係る模様付きグラスは、第１の模様及び第２の模様のいずれ側からも他方の模様を視認できない程度の遮光性を有する遮光層を備えることにより、第１の模様及び第２の模様をそれぞれ鮮明に表示することができる。
【０００８】
本考案に係る模様付きグラスにおいて、前記第１の模様及び前記第２の模様は、相互に関連する模様であることが好ましく、このように、第１の模様と第２の模様とが相互に関連する模様であることにより、より娯楽性に優れた模様付きグラスとすることができる。
【０００９】
また、本考案に係る模様付きグラスにおいて、前記第１の模様及び前記第２の模様のそれぞれの背景として機能する模様であることが好ましく、このように、遮光層が背景として機能する模様であることにより、より娯楽性に優れた模様付きグラスとすることができる。
【００１０】
さらに、本考案に係る模様付きグラスにおいて、前記模様は、ガラスエナメル焼付け加工により施され、前記遮光層は、前記第１の模様及び前記第２の模様のガラスエナメル材料よりも高い粘性を有するガラスエナメル材料により形成されることが好ましく、この場合、前記遮光層は、白エナメルにより形成されているとしても良い。このように、遮光層が第１の模様及び第２の模様のガラスエナメル材料よりも高い粘性を有するガラスエナメル材料によって形成されることにより、焼付け時における、第１の模様のガラスエナメルと第２の模様のガラスエナメルとの混合を防止することができる。
【００１１】
またさらに、本考案に係る模様付きグラスにおいて、前記模様は、転写印刷により施されるとしても良く、このように、模様が転写印刷によって施されることにより、多色プリントなどの精密性を要求される模様を施すことができる。
【考案の効果】
【００１２】
以上のように、本考案に係る模様付きグラスによれば、グラス本体の外面側及び内面側の双方から模様を視認することができる娯楽性に優れた模様付きグラスを提供することができる。
【図面の簡単な説明】
【００１３】
【図１】本考案に係る模様付きグラスの一実施形態を示す正面図である。
【図２】本実施形態に係る模様付きグラスを示す背面図である。
【図３】図１のＡ−Ａ´線に沿った断面図である。
【考案を実施するための形態】
【００１４】
次に、本考案に係る模様付きグラスの好適な実施形態について図面に基づいて説明する。本実施形態に係る模様付きグラス１は、図１〜図３に示すように、例えばガラスや石英などの素材から形成され、少なくとも周部分が透明に形成された有底円筒状のグラス本体１０と、グラス本体１０の周部分の外面１０Ａ上に施された模様部分２０とを備えている。
【００１５】
模様部分２０は、グラス本体１０の周部分の外面１０Ａ上に施され、グラス本体１０の周部分の内面１０Ｂ側（図１に図示する側）から視認可能な第１の模様２２と、第１の模様２２上に重ねて施された遮光層２４と、遮光層２４上に重ねて施され、グラス本体１０の周部分の外面１０Ａ側（図２に図示する側）から視認可能な第２の模様２６とを備えている。
【００１６】
第１の模様２２及び第２の模様２６は、ガラスエナメル材料から形成されており、遮光層２４は、例えば白エナメルなど、第１の模様２２及び第２の模様２６のガラスエナメル材料よりも粘性の高いガラスエナメル材料により形成されている。また、遮光層２４は、第１の模様２２及び第２の模様２６のいずれ側からも他方の模様を視認できない程度の遮光性を有し、第１の模様２２及び第２の模様２６よりも大きな形状を有している。第１の模様２２及び第２の模様２６は、遮光層２４が施される領域内に施されている。
【００１７】
模様部分２０は、ガラスエナメル焼付け加工によりグラス本体１０の周部分の外面１０Ａ上に施されている。ガラスエナメル焼付け加工は、具体的には、まず、グラス本体１０の周部分の外面１０Ａ上に第１の模様２２を焼付け、第１の模様２２の乾燥後、第１の模様２２を覆うように遮光層２４を焼付け、遮光層２４の乾燥後、遮光層２４上に第２の模様２６を焼付けることにより、行なわれる。この際、遮光層２４のガラスエナメル材料を第１の模様２２及び第２の模様２６のガラスエナメル材料よりも粘性の高いガラスエナメル材料とすることにより、第１の模様２２のガラスエナメル材料と第２の模様２６のガラスエナメル材料とが溶け混じることを防止することができる。
【００１８】
本実施形態に係る模様付きグラスにおいて、これら第１の模様２２と第２の模様２６は、関連しており、遮光層２４は、これら第１の模様２２及び第２の模様２６の背景として機能している。すなわち、第１の模様２２は、例えばふくろうなどの正面側を描写し、第２の模様２６は、例えばふくろうなどの背面側を描写している。また、遮光層２４は、例えばハートなどの形状に施されており、第１の模様２２及び第２の模様２６の背景を描写している。
【００１９】
本実施形態に係る模様付きグラス１は、第１の模様２２をふくろうの正面とし、第２の模様２６をふくろうの背面とすることにより、グラス本体１０の周部分の外面１０Ａ側から視認可能な図柄と内面１０Ｂ側から視認可能な図柄とを趣の異なる図柄とすることができると共に、ふくろうの前後を描写することができるため、より娯楽性に優れた模様付きグラスとすることができる。
【００２０】
また、本実施形態に係る模様付きグラス１は、第１の模様２２及び第２の模様２６のいずれ側からも他方の模様を視認できない程度の遮光性を有する遮光層２４を備えることにより、第１の模様２２及び第２の模様２６をそれぞれ鮮明に表示することができる。また、単に、グラス本体の周部分の表面上に第１の模様と第２の模様とを施す場合には、第１の模様及び第２の模様のいずれか一方を暗色模様として光の透過を規制する必要があるが、本実施形態に係る模様付きグラス１は、第１の模様２２及び第２の模様２６のいずれ側からも他方の模様を視認できない程度の遮光性を有する遮光層２４を備えるため、このような模様の制限を無くすことができる。
【００２１】
本実施形態に係る模様付きグラス１において、第１の模様２２及び第２の模様２６は、例えばふくろうなどの絵であるとしたが、これに限定されず、第１の模様２２及び第２の模様２６は、いかなる模様であっても良く、また、例えば社名やトレードマークなどの宣伝文字を表示する文字であっても良い。このように、第１の模様及び第２の模様を社名やトレードマークなどの宣伝文字とすることにより、娯楽性のみならず、販促効果を持たせることができる。また、本実施形態に係る模様付きグラス１において、第１の模様２２と第２の模様２６は、関連しており、遮光層２４は、第１の模様２２及び第２の模様２６の背景として機能するとしたが、これに限定されず、第１の模様２２と第２の模様２６とは、関連していなくても良く、遮光層２４は、第１の模様２２及び第２の模様２６の背景として機能しなくても良い。
【００２２】
また、本実施形態に係る模様付きグラス１において、第１の模様２２、遮光層２４及び第２の模様２６は、ガラスエナメル焼付け加工によって施されるとしたが、これに限定されず、例えば転写印刷などにより施されるとしても良い。このように、転写印刷などによって第１の模様２２、遮光層２４及び第２の模様２６を施すことにより、多色プリントなどの精密性を要求される模様を施すことができる。また、この場合、遮光層２４は、第１の模様２２及び第２の模様２６と同形同大に形成され、第１の模様２２及び第２の模様２６からはみ出さない形状としても良い。
【００２３】
さらに、本実施形態に係る模様付きグラス１において、模様部分２０は、グラス本体１０の周部分の外面１０Ａ上に施されるとしたが、これに限定されず、模様部分２０は、グラス本体１０の周部分の内面１０Ｂ上に施されるとしても良い。この場合、第１の模様２２が、グラス本体１０の周部分の外面１０Ａ側から視認可能となり、第２の模様２６が、グラス本体１０の周部分の内面１０Ｂ側から視認可能となる。
【符号の説明】
【００２４】
１  模様付きグラス、１０  グラス本体、１０Ａ  外面、１０Ｂ  内面、２０  模様、２２  第１の模様、２４  遮光層、２６  第２の模様
【図１】
0003161390.tif 000003
【図２】
0003161390.tif 000004
【図３】
0003161390.tif 000005